(57)【要約】【課題】収容区間においてワイヤハーネスを決められた方向に間違いなく、しかも容易に捻ることができて、捻りを伴うワイヤハーネスの配索作業を容易に行えるようにする。【解決手段】底壁１１と両側壁１２を有する断面Ｕ字状をなし、内部にワイヤハーネスＷが配索されるワイヤハーネス用のプロテクタ１において、底壁１１のワイヤハーネス固定箇所Ｐに、楕円形断面のワイヤハーネスＷ１の横断面の大曲率部Ｗ１ａの幅方向一端側を他端側より高く持ち上げることでワイヤハーネスＷ１に一定方向の捻りを促す傾斜面部５１を備えたリブ５０を突設した。【選択図】図１
2013243820.tif 000002
【特許請求の範囲】
【請求項１】
底壁と両側壁を有する断面Ｕ字状をなし、内部にワイヤハーネスが配索されるワイヤハーネス用のプロテクタにおいて、
前記底壁の前記ワイヤハーネスの長手方向における所定箇所に、載置された前記ワイヤハーネスの横断面の幅方向一端側を他端側より高く持ち上げることで前記ワイヤハーネスに一定方向の捻りを促す傾斜面部が設けられていることを特徴とするワイヤハーネス用のプロテクタ。
【請求項２】
前記底壁の幅方向の一部にリブが突設され、該リブに前記傾斜面部が形成されていることを特徴とする請求項１に記載のワイヤハーネス用のプロテクタ。
【請求項３】
前記リブが、複数の前記ワイヤハーネスを前記底壁の幅方向に仕分けることができるよう、前記底壁の幅方向の中央に配置されていることを特徴とする請求項２に記載のワイヤハーネス用のプロテクタ。
【請求項４】
前記リブが、前記底壁の幅方向の端部に配置され、前記底壁の幅方向の中央に、前記リブとは別に、複数の前記ワイヤハーネスを前記底壁の幅方向に仕分ける仕分け突起が設けられていることを特徴とする請求項２に記載のワイヤハーネス用のプロテクタ。
【請求項５】
前記リブが、前記ワイヤハーネスを前記底壁に固定する固定位置に配置されていることを特徴とする請求項２〜４のいずれか１項に記載のワイヤハーネス用のプロテクタ。
【請求項６】
前記両側壁の間隔が、前記ワイヤハーネスの長手方向に沿った一方側から他方側に行くに従い狭くなるように形成されており、その狭くなる手前側の位置に前記リブが配置されていることを特徴とする請求項２〜５のいずれか１項に記載のワイヤハーネス用のプロテクタ。
【請求項７】
前記底壁及び前記両側壁が、前記ワイヤハーネスの長手方向の中間部で前記底壁に沿った面内においてカーブしており、しかも、前記カーブの手前側では前記両側壁の間隔が広く形成され、前記カーブの先側では前記両側壁の間隔が狭く形成されており、前記リブが前記カーブの入口に配置されていることを特徴とする請求項６に記載のワイヤハーネス用のプロテクタ。
【請求項８】
請求項１〜７のいずれか１項に記載のワイヤハーネス用のプロテクタに、外周面に周方向の他の部分よりもフラットな大曲率部を有する断面非円形のワイヤハーネスを収容し、前記傾斜面部の手前側では、前記ワイヤハーネスの大曲率部を前記底壁の上面に載置することで、前記ワイヤハーネスをその横断面の前記大曲率部が前記底壁に平行となる姿勢で配索し、前記傾斜面部では、該傾斜面部の上面に前記ワイヤハーネスの前記大曲率部を載置することで、前記ワイヤハーネスの横断面の前記大曲率部の幅方向一端側を他端側より高く持ち上げて、前記ワイヤハーネスに一定方向の捻りを加え、更に前記傾斜面部の先側では、前記ワイヤハーネスを前記大曲率部が前記底壁に対し垂直となるように捻った姿勢で前記ワイヤハーネスを配索したことを特徴とするワイヤハーネスの配索構造。
【発明の詳細な説明】
【技術分野】
【０００１】
本発明は、自動車などの車体に沿って配索されるワイヤハーネスを保護するためのワイヤハーネス用のプロテクタ、及び、そのプロテクタを用いたワイヤハーネスの配索構造に関するものである。
【背景技術】
【０００２】
ワイヤハーネスの中には、横断面が楕円形あるいは長円形などの非円形をなしたワイヤハーネスがある。例えば、自動車用の高圧電線等のワイヤハーネスは楕円形断面や長円形断面をなしていることが多い。この種の非円形断面のワイヤハーネスをプロテクタ内に配索する場合、車両レイアウト要件によっては、プロテクタ内でワイヤハーネスに捻りを加えて、ワイヤハーネスの断面の向きを変えなくてはならないことがある。
【０００３】
図３（ａ）及び図３（ｂ）は、従来のプロテクタを用いてワイヤハーネスをプロテクタ内で捻りながら配索する場合の例を示している。
【０００４】
このプロテクタ１０１は、底壁１１と両側壁１２を備えた断面Ｕ字状のもので、ワイヤハーネスＷの長手方向に沿った一方側１０から他方側３０まで樋状の経路で連続しており、その経路の途中に、一方側１０から他方側３０に向けて右に曲がったカーブ２０を備えている。また、カーブ２０の手前側である一方側１０では、両側壁１２の間隔が広く形成されているが、カーブ２０の先側である他方側３０では、両側壁１２の間隔が狭く形成されている。つまり、カーブ２０の入口側では両側壁１２の間隔が広くなっているが、カーブ２０の出口側では両側壁１２の間隔が狭くなっている。
【０００５】
カーブ２０の手前側（一方側１０）で両側壁１２の間隔が広く形成され、カーブ２０の先側（他方側３０）で両側壁１２の間隔が狭く形成されているのは、プロテクタ１０１の一方側１０では、幅の広い姿勢でワイヤハーネスＷを配索することが許容されるが、他方側３０では、幅の狭い姿勢でワイヤハーネスＷを配索することにより、ワイヤハーネスＷの断面の方向性を規制する必要があるためである。
【０００６】
ここでは、ワイヤハーネスＷが、楕円形断面のワイヤハーネスＷ１と円形断面のワイヤハーネスＷ２の組み合わせである場合について述べる。プロテクタ１０１に配索するワイヤハーネスＷのうち、円形断面のワイヤハーネスＷ２は、断面形状に方向性がないために、配索時に断面の方向性を持たせることは難しいが、楕円形断面のワイヤハーネスＷ１は、断面形状に方向性があるために、配索時に断面の方向性を持たせることは容易にできる。
【０００７】
例えば、楕円形断面のワイヤハーネスＷ１は、外周面に、互いに曲率の異なる大曲率部Ｗ１ａと小曲率部Ｗ１ｂとを有している。大曲率部Ｗ１ａは短軸Ｗｙ方向の両端の外周面であり、小曲率部Ｗ１ｂは長軸方向Ｗｘの両端の外周面である。大曲率部Ｗ１ａは小曲率部Ｗ１ｂよりもフラットな面であり、大曲率部Ｗ１ａが底壁１１に平行な姿勢となるようにワイヤハーネスＷ１を底壁１１上に載置すると、楕円形断面のワイヤハーネスＷ１は幅広の姿勢で配索されることになる。一方、大曲率部Ｗ１ａが底壁１１に垂直な姿勢となるようにワイヤハーネスＷ１を底壁１１上に載置すると、楕円形断面のワイヤハーネスＷ１は幅狭の姿勢で配索されることになる。このように、楕円形断面のワイヤハーネスＷ１は、断面の方向性の違いを持たせて、プロテクタ１０１に配索することができる。
【０００８】
この従来例では、楕円形断面のワイヤハーネスＷ１をプロテクタ１０１に配索するに当たり、プロテクタ１０１の一方側１０では、図４（ａ）に示すように、長軸Ｗｘが底壁１１と平行となる姿勢（Ａの姿勢）でワイヤハーネスＷ１を配索し、また、プロテクタ１０１の他方側３０では、図４（ｂ）に示すように、長軸Ｗｘが底壁１１と垂直となる姿勢（Ｂの姿勢）でワイヤハーネスＷ１を配索している。そして、図３（ａ）のカーブ２０の入口付近からプロテクタ１０１の他方側３０の出口までの区間Ｘで、Ａの姿勢からＢの姿勢になるようにワイヤハーネスＷ１に捻りを加えている。
【０００９】
また、カーブ２０の手前にワイヤハーネスＷの固定位置Ｐを設定しており、その位置において、Ａの姿勢でワイヤハーネスＷ１をワイヤハーネスＷ２と共に結束バンド４０により底壁１１に固定している。その際、プロテクタ１０１の底壁１１に、横ずれ防止用のワイヤハーネス受部１５を設けて、その上にワイヤハーネスＷ１、Ｗ２を載せて結束バンド４０で締め付け固定している。なお、このように横ずれ防止用のワイヤハーネス受部１５を設けることは、特許文献１において知られている。
【先行技術文献】
【特許文献】
【００１０】
【特許文献１】特開２００５−３２３４７４号公報
【発明の概要】
【発明が解決しようとする課題】
【００１１】
ところで、図３（ａ）に示すＸの区間で、ワイヤハーネスＷ１を、決められた方向に９０°ほど捻る必要があるが、捻る区間の距離が短いために、ワイヤハーネスＷ１を容易に捻ることができないという問題がある。また、固定位置ＰにてワイヤハーネスＷ１を、ワイヤハーネス受部１５に載せて、結束バンド４０により楕円形断面の長軸Ｗｘが底壁１１と平行となる姿勢（Ａの姿勢）で固定しているため、ワイヤハーネスＷ１を捻るときに、捻る方向を間違えるおそれがある。つまり、本来は、図５（ａ）に示すように右回り（矢印Ｓ方向）に捻る必要があるのに、決められた方向とは逆の、図５（ｂ）に示す左回り（矢印Ｔ方向）に捻ってしまうおそれがあった。
【００１２】
本発明は、上述した事情に鑑みてなされたものであり、その目的は、収容区間においてワイヤハーネスを決められた方向に間違いなく、しかも容易に捻ることができて、捻りを伴うワイヤハーネスの配索作業を容易に行えるようにした、ワイヤハーネス用のプロテクタ、及び、そのプロテクタを用いたワイヤハーネスの配索構造を提供することにある。
【課題を解決するための手段】
【００１３】
本発明の上記目的は、下記の構成により達成される。
（１）  底壁と両側壁を有する断面Ｕ字状をなし、内部にワイヤハーネスが配索されるワイヤハーネス用のプロテクタにおいて、
前記底壁の前記ワイヤハーネスの長手方向における所定箇所に、載置された前記ワイヤハーネスの横断面の幅方向一端側を他端側より高く持ち上げることで前記ワイヤハーネスに一定方向の捻りを促す傾斜面部が設けられていることを特徴とするワイヤハーネス用のプロテクタ。
【００１４】
（２）  前記底壁の幅方向の一部にリブが突設され、該リブに前記傾斜面部が形成されていることを特徴とする上記（１）に記載のワイヤハーネス用のプロテクタ。
【００１５】
（３）  前記リブが、複数の前記ワイヤハーネスを前記底壁の幅方向に仕分けることができるよう、前記底壁の幅方向の中央に配置されていることを特徴とする上記（２）に記載のワイヤハーネス用のプロテクタ。
【００１６】
（４）  前記リブが、前記底壁の幅方向の端部に配置され、前記底壁の幅方向の中央に、前記リブとは別に、複数の前記ワイヤハーネスを前記底壁の幅方向に仕分ける仕分け突起が設けられていることを特徴とする上記（２）に記載のワイヤハーネス用のプロテクタ。
【００１７】
（５）  前記リブが、前記ワイヤハーネスを前記底壁に固定する固定位置に配置されていることを特徴とする上記（２）〜（４）のいずれかに記載のワイヤハーネス用のプロテクタ。
【００１８】
（６）  前記両側壁の間隔が、前記ワイヤハーネスの長手方向に沿った一方側から他方側に行くに従い狭くなるように形成されており、その狭くなる手前側の位置に前記リブが配置されていることを特徴とする上記（２）〜（５）のいずれかに記載のワイヤハーネス用のプロテクタ。
【００１９】
（７）  前記底壁及び前記両側壁が、前記ワイヤハーネスの長手方向の中間部で前記底壁に沿った面内においてカーブしており、しかも、前記カーブの手前側では前記両側壁の間隔が広く形成され、前記カーブの先側では前記両側壁の間隔が狭く形成されており、前記リブが前記カーブの入口に配置されていることを特徴とする上記（６）に記載のワイヤハーネス用のプロテクタ。
【００２０】
（８）  上記（１）〜（７）のいずれかに記載のワイヤハーネス用のプロテクタに、外周面に周方向の他の部分よりもフラットな大曲率部を有する断面非円形のワイヤハーネスを収容し、前記傾斜面部の手前側では、前記ワイヤハーネスの大曲率部を前記底壁の上面に載置することで、前記ワイヤハーネスをその横断面の前記大曲率部が前記底壁に平行となる姿勢で配索し、前記傾斜面部では、該傾斜面部の上面に前記ワイヤハーネスの前記大曲率部を載置することで、前記ワイヤハーネスの横断面の前記大曲率部の幅方向一端側を他端側より高く持ち上げて、前記ワイヤハーネスに一定方向の捻りを加え、更に前記傾斜面部の先側では、前記ワイヤハーネスを前記大曲率部が前記底壁に対し垂直となるように捻った姿勢で前記ワイヤハーネスを配索したことを特徴とするワイヤハーネスの配索構造。
【００２１】
上記（１）の構成のプロテクタによれば、底壁上に設けた傾斜面部にワイヤハーネスを載置することで、ワイヤハーネスの横断面の幅方向一端側を他端側より高く持ち上げることができるので、ワイヤハーネスに一定方向の捻りの始まりを与えることができる。従って、以降においては、短い区間であっても、ワイヤハーネスに捻りを加えることが容易にできるようになる。また、傾斜面部によって予めワイヤハーネスに一定方向の捻りの始まりを与えることができるので、以降のワイヤハーネスを人手により捻る際に、捻りの方向を間違えることがなくなる。従って、ワイヤハーネスを捻りながらの配索作業性の向上が図れる。
【００２２】
上記（２）の構成のプロテクタによれば、底壁の幅方向の一部にリブを突設し、そのリブに傾斜面部を形成したので、対象とするワイヤハーネスに対応した位置にリブを設けることで、そのワイヤハーネスだけに捻りの始まりを与えることができる。
【００２３】
上記（３）の構成のプロテクタによれば、リブによって複数のワイヤハーネスを仕分けることができるので、ワイヤハーネスの横ずれを防止することができる。
【００２４】
上記（４）の構成のプロテクタによれば、リブを底壁の幅方向の端部に配置したので、リブを底壁の幅方向の中央に設けた場合と逆の方向に向けて、ワイヤハーネスに捻りの始まりを与えることができる。また、底壁の幅方向の中央に、リブとは別に、複数のワイヤハーネスを仕分ける仕分け突起を設けたので、ワイヤハーネスの横ずれを防止することができる。
【００２５】
上記（５）の構成のプロテクタによれば、リブをワイヤハーネスの固定位置に配置したので、リブの傾斜面部に対してワイヤハーネスを確実に押さえ付けることができ、傾斜面部を設けたことによるワイヤハーネスの横ずれを防ぎながら、ワイヤハーネスに確実な捻りの始まりを与えることができる。
【００２６】
上記（６）の構成のプロテクタによれば、両側壁の間隔が、ワイヤハーネスの長手方向に沿った一方側から他方側に行くに従い狭くなるように形成されており、その狭くなる手前側の位置にリブが配置されているので、両側壁の間隔が狭くなる前に、ワイヤハーネスに捻りの始まりを与えることができる。従って、ワイヤハーネスを幅の狭い姿勢となるように捻りながら、他方側に配索することができる。
【００２７】
上記（７）の構成プロテクタによれば、カーブの入口にリブを配置したので、そのリブの傾斜面部により、カーブの入口でワイヤハーネスに捻りの始まりを与えることができる。従って、カーブの区間からプロテクタの出口にかけての区間で、ワイヤハーネスを容易に捻りながら配索することができる。
【００２８】
上記（８）の構成のワイヤハーネスの配索構造によれば、プロテクタの底壁に設けた傾斜面部を利用することにより、断面非円形のワイヤハーネスに決められた方向の捻りの始まりを与えることができる。そして、それ以降のワイヤハーネスの捻りを容易に行うことができ、配索作業性の向上が図れる。
【発明の効果】
【００２９】
本発明によれば、収容区間においてワイヤハーネスを決められた方向に間違いなく、しかも容易に捻ることができて、捻りを伴うワイヤハーネスの配索作業性の向上が図れる。
【００３０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３１】
【図１】本発明の第１実施形態のプロテクタの構成図で、図１（ａ）はプロテクタの平面図、図１（ｂ）は図１（ａ）の要部を拡大して示す一部断面斜視図、図１（ｃ）は図１（ａ）のＩｃ−Ｉｃ矢視拡大断面図である。
【図２】図２（ａ）は本発明の第２実施形態のプロテクタの要部拡大断面図、図２（ｂ）はその変形例の要部拡大断面図である。
【図３】従来のプロテクタを用いたワイヤハーネスの配索例を示す図で、図３（ａ）は平面図、図３（ｂ）は図３（ａ）のＩＩＩｂ−ＩＩＩｂ矢視拡大断面図である。
【図４】図４（ａ）及び図４（ｂ）は、図３（ａ）のプロテクタの長手方向の一方側（カーブの手前側）と他方側（カーブの先側）におけるワイヤハーネスの配索姿勢をそれぞれ示す図である。
【図５】従来のプロテクタにおいてはワイヤハーネスの捻り方向の間違いを犯しやすいということを説明するための図で、図５（ａ）は本来の方向に捻りを与えた場合の断面図、図５（ｂ）は本来の方向とは逆の方向に捻りを与えてしまった場合の断面図である。
【発明を実施するための形態】
【００３２】
以下、本発明の実施形態を図面を参照して説明する。
図１は第１実施形態のプロテクタの構成図で、図１（ａ）はプロテクタの平面図、図１（ｂ）は図１（ａ）の要部を拡大して示す一部断面斜視図、図１（ｃ）は図１（ａ）のＩｃ−Ｉｃ矢視拡大断面図である。なお、図３〜図５と同様の構成については、同符号を付して説明を簡略化する。
【００３３】
このプロテクタ１は、底壁１１と両側壁１２を備えた断面Ｕ字状のもので、ワイヤハーネスＷの長手方向に沿った一方側１０から他方側３０まで樋状の経路で連続しており、その経路の途中に、一方側１０から他方側３０に向けて右に曲がったカーブ２０を備えている。また、カーブ２０の手前側である一方側１０では、両側壁１２の間隔が広く形成され、カーブ２０の先側である他方側３０では、両側壁１２の間隔が狭く形成されている。
【００３４】
ここでは、ワイヤハーネスＷが、楕円形断面のワイヤハーネスＷ１と円形断面のワイヤハーネスＷ２の組み合わせである場合について述べる。
【００３５】
楕円形断面のワイヤハーネスＷ１は、外周面に、互いに曲率の異なる大曲率部Ｗ１ａと小曲率部Ｗ１ｂとを有しており、大曲率部Ｗ１ａは短軸Ｗｙ方向の両端の外周面であり、小曲率部Ｗ１ｂは長軸方向Ｗｘの両端の外周面である。大曲率部Ｗ１ａは小曲率部Ｗ１ｂよりもフラットな面であり、大曲率部Ｗ１ａが底壁１１に平行な姿勢となるようにワイヤハーネスＷ１を底壁１１上に載置すると、楕円形断面のワイヤハーネスＷ１は幅広の姿勢で配索されることになる。一方、大曲率部Ｗ１ａが底壁１１に垂直な姿勢となるようにワイヤハーネスＷ１を底壁１１上に載置すると、楕円形断面のワイヤハーネスＷ１は幅狭の姿勢で配索されることになる。
【００３６】
本実施形態では、楕円形断面のワイヤハーネスＷ１をプロテクタ１に配索するに当たり、プロテクタ１の一方側１０では、図４（ａ）に示すように、長軸Ｗｘが底壁１１と平行となる姿勢（Ａの姿勢）でワイヤハーネスＷ１を配索し、また、プロテクタ１の他方側３０では、図４（ｂ）に示すように、長軸Ｗｘが底壁１１と垂直となる姿勢（Ｂの姿勢）でワイヤハーネスＷ１を配索する。そして、図１（ａ）のカーブ２０の入口付近からからプロテクタ１の他方側３０の出口までの区間Ｘで、図４（ａ）に示したＡの姿勢から図４（ｂ）に示したＢの姿勢になるようにワイヤハーネスＷ１に捻りを加える。
【００３７】
そこで、本実施形態のプロテクタ１では、両側壁１２の間隔が狭くなる手前でカーブ２０の入口に相当する位置の底壁１１上に、載置された楕円形断面のワイヤハーネスＷ１の横断面の長軸Ｗｘ方向（幅方向）の一端側〔図１（ｃ）の左端側〕を他端側〔図１（ｃ）の右端側〕より高く持ち上げることで、ワイヤハーネスＷ１に図１（ｃ）中矢印Ｓで示す右回りの捻れを促す傾斜面部５１を山形の右斜面として備えたリブ５０を突設している。このリブ５０は、２つのワイヤハーネスＷ１、Ｗ２を底壁１１の幅方向に仕分けることができるように、底壁１１の幅方向の中央に配置されており、傾斜面部５１に楕円形断面のワイヤハーネスＷ１の大曲率部Ｗ１ａが載り、山形の左側の壁である垂直壁部５２によって円形断面のワイヤハーネスＷ２の横ずれを規制できるようになっている。
【００３８】
また、このリブ５０を設けた位置は、ワイヤハーネスＷを底壁１１に結束バンド４０で固定する固定位置Ｐであり、リブ５０の支障にならない位置に、結束バンド４０を挿通する貫通孔１８が設けられている。従って、リブ５０は、図３（ｂ）に示したワイヤハーネス受部１５に代わる役目を果たす。
【００３９】
このプロテクタ１にワイヤハーネスＷを配索する場合は、リブ５０の手前側（一方側１０）では、楕円形断面のワイヤハーネスＷ１の大曲率部Ｗ１ａを底壁１１の上面に載置することで、ワイヤハーネスＷ１の横断面の大曲率部Ｗ１ａ（長軸Ｗｘに相当）を底壁１１に平行に配索する。また、リブ５０の位置では、傾斜面部５１の上面にワイヤハーネスＷ１の大曲率部Ｗ１ａを載置することで、ワイヤハーネスＷ１の横断面の大曲率部Ｗ１ａ（長軸Ｗｘに相当）の幅方向一方側を他方側より高く持ち上げて、ワイヤハーネスＷ１に一定方向の捻りを加える。そして、カーブ２０から他方側３０の端部（プロテクタ１の出口）までの区間Ｘで、ワイヤハーネスＷ１の大曲率部Ｗ１ａ（長軸Ｗｘに相当）が垂直な姿勢となるように捻りながらワイヤハーネスＷ１を配索する。
【００４０】
このように、底壁１１上に設けたリブ５０の傾斜面部５１に楕円形断面のワイヤハーネスＷ１を載置することにより、ワイヤハーネスＷ１の横断面の大曲率部Ｗ１ａの幅方向一端側を他端側より高く持ち上げることができるので、ワイヤハーネスＷ１に一定方向の捻りの始まりを与えることができる。従って、以降（カーブ２０〜他方側３０）においては、短い区間Ｘであっても、ワイヤハーネスＷ１に捻りを加えることが容易にできるようになる。また、リブ５０の傾斜面部５１によって予めワイヤハーネスＷ１に一定方向の捻りの始まりを与えることができるので、以降のワイヤハーネスＷ１を人手により捻る際に、捻りの方向を間違えることがなくなる。従って、ワイヤハーネスＷ１を捻りながらの配索作業性の向上が図れる。
【００４１】
また、底壁１１の幅方向の一部にリブ５０を突設し、そのリブ５０に傾斜面部５１を形成したので、対象とするワイヤハーネスＷ１だけに捻りの始まりを与えることができる。また、リブ５０によって複数のワイヤハーネスＷ１、Ｗ２を仕分けることができるので、ワイヤハーネスＷ１、Ｗ２の横ずれを防止することができる。
【００４２】
また、リブ５０をワイヤハーネスＷの固定位置Ｐに配置したので、リブ５０の傾斜面部５１に対してワイヤハーネスＷ１を確実に押さえ付けることができ、傾斜面部５１を設けたことによるワイヤハーネスＷ１の横ずれを防ぎながら、ワイヤハーネスＷ１に確実な捻りの始まりを与えることができる。
【００４３】
また、このプロテクタ１によれば、両側壁１２の間隔が、ワイヤハーネスＷの長手方向に沿った一方側１０から他方側３０に行くに従い狭くなるように形成されており、その狭くなる手前側の位置にリブ５０が配置されているので、両側壁１２の間隔が狭くなる前に、ワイヤハーネスＷ１に捻りの始まりを与えることができる。従って、ワイヤハーネスＷ１を幅の狭い姿勢となるように捻りながら他方側３０に配索することができる。また、カーブ２０の入口にリブ５０が配置されているので、そのリブ５０の傾斜面部５１により、カーブ２０の入口でワイヤハーネスＷ１に捻りの始まりを与えることができる。従って、カーブ２０からプロテクタ１の出口にかけての区間Ｘで、ワイヤハーネスＷ１を容易に捻りながら配索することができる。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
例えば、上記実施形態では、楕円形断面のワイヤハーネスＷ１を右回りに捻る場合を示したが、左回りに捻るように構成することもできる。その場合は、図２（ａ）に示す第２実施形態のように、リブ５５を底壁１１の右端部に配置して、山形の左斜面として傾斜面部５６を設ける。こうすることにより、楕円形断面のワイヤハーネスＷ１に矢印Ｔで示す左回りの捻りを与えることができる。
【００４６】
また、この場合も、ワイヤハーネスＷ１、Ｗ２との仕分けをしたい場合は、図２（ｂ）の変形例に示すように、２つのワイヤハーネスＷ１、Ｗ２との間に位置するように、底壁１１の幅方向中央部に仕分け突起５８を設ければよい。
【００４７】
このように、リブ５５を底壁１１の幅方向の端部に配置することで、リブ５０を底壁１１の幅方向の中央に設けた場合と逆の方向に向けて、ワイヤハーネスＷ１に捻りの始まりを与えることができる。また、底壁１１の幅方向の中央に、リブ５５とは別に、複数のワイヤハーネスＷ１、Ｗ２を仕分ける仕分け突起５８を設けることにより、ワイヤハーネスＷ１、Ｗ２の横ずれを防止することができるようになる。
【００４８】
なお、リブ５０、５５や仕分け突起５８の位置、傾斜面部５１、５６の角度は、ワイヤハーネスＷ（Ｗ１、Ｗ２）の曲がり易さ（電線種や曲げ方向あるいは曲げ具合）などを考慮して適宜選択するのが望ましい。
【００４９】
また、上記実施形態では、非円形断面のワイヤハーネスの例として、楕円形断面のワイヤハーネスＷ１を示したが、長円形断面のワイヤハーネスであってもよいし、外周面に周方向の他の部分よりもフラットな大曲率部を有する断面非円形のワイヤハーネスであればよい。
【符号の説明】
【００５０】
１  プロテクタ
１０  一方側
１１  底壁
１２  側壁
２０  カーブ
３０  他方側
５０  リブ
５１  傾斜面部
５５  リブ
５６  傾斜面部
５８  仕分け突起
Ｗ１  楕円形断面のワイヤハーネス
Ｗ１ａ  大曲率部
Ｗ１ｂ  小曲率部
Ｗ２  円形断面のワイヤハーネス
Ｐ  固定位置
【図１】
2013243820.tif 000003
【図２】
2013243820.tif 000004
【図３】
2013243820.tif 000005
【図４】
2013243820.tif 000006
【図５】
2013243820.tif 000007